(57)【要約】【課題】室内空間内の臭気発生源から発生する悪臭を、室外に排出せずに効率良く低減する。【解決手段】室内空間Ｒ内の臭気発生源Ｅから発生する臭気物質Ｗを測定する測定工程Ｓ１と、測定した臭気物質Ｗに対して脱離あるいは分解する上で有用な有用物質Ｑを臭気発生源Ｅに供給する有用物質供給工程Ｓ２と、臭気発生源Ｅを含む室内空間Ｒを加熱し、有用物質Ｑの供給後に臭気発生源Ｅから臭気物質Ｗ又はその分解物質を放散させるベイクアウト工程Ｓ３と、ベイクアウト工程Ｓ３と並行して空気清浄機４ａを作動させ、放散された臭気物質Ｗ又はその分解物質からなる臭気成分を空気清浄機４ａにより形成された気流に乗せて吸引して捕捉部材４ｂに捕捉する臭気成分捕捉工程Ｓ４と、を備える。【選択図】図１
2020110436.tif 000002
【特許請求の範囲】
【請求項１】
室内空間内の臭気発生源から発生する臭気物質を測定する測定工程と、
前記測定工程で測定した臭気物質に対して脱離あるいは分解する上で有用な有用物質を前記臭気発生源に供給する有用物質供給工程と、
前記臭気発生源を含む室内空間を加熱し、前記有用物質供給工程による前記有用物質の供給後に前記臭気発生源から前記臭気物質又はその分解物質を放散させるベイクアウト工程と、
前記ベイクアウト工程と並行して空気清浄機を作動させ、前記ベイクアウト工程にて放散された臭気物質又はその分解物質からなる臭気成分を前記空気清浄機により形成された気流に乗せて吸引し当該空気清浄機内に設置された捕捉部材に捕捉する臭気成分捕捉工程と、
を備えたことを特徴とする脱臭工法。
【請求項２】
請求項１に記載の脱臭工法において、
前記臭気成分捕捉工程後に、前記臭気発生源に対して封止剤を塗布する封止剤塗布工程を更に備えることを特徴とする脱臭工法。
【請求項３】
請求項１又は２に記載の脱臭工法において、
前記臭気成分捕捉工程後に前記室内空間内の脱臭レベルを検査する検査工程を備え、
前記検査工程による検査の結果、前記脱臭レベルが予め決められた許容レベルに至らない条件では、前記有用物質供給工程、前記ベイクアウト工程及び前記臭気成分捕捉工程の一連の工程を繰り返し、前記脱臭レベルが前記許容レベルに至った条件で前記一連の工程の繰り返しを終了することを特徴とする脱臭工法。
【請求項４】
室内空間内の臭気発生源から発生する臭気物質を測定する測定手段と、
前記測定手段で測定した臭気物質に対して脱離あるいは分解する上で有用な有用物質を前記臭気発生源に供給する有用物質供給手段と、
前記臭気発生源を含む室内空間を加熱し、前記有用物質供給手段による前記有用物質の供給後に前記臭気発生源から前記臭気物質又はその分解物質からなる臭気成分を放散させるベイクアウト手段と、
前記ベイクアウト手段による処理と並行して空気清浄機を作動させ、前記ベイクアウト手段にて放散された臭気成分を吸引するための気流を形成し、内部に設置された捕捉部材に捕捉する臭気成分補足手段と、を備えたことを特徴とする脱臭施工システム。
【請求項５】
請求項４に記載の脱臭施工システムにおいて、
前記臭気成分捕捉手段は、前記空気清浄機の内部に前記室内空間内の臭気成分が吸引される空気流通路を形成し、当該空気流通路には前記臭気成分が捕捉可能な捕捉部材としてのフィルタを配置する共に、前記空気清浄機の内部には前記フィルタに対して前記臭気成分を捕捉する上で有効な薬液を選択的に噴霧可能な薬液噴霧機構を設けたことを特徴とする脱臭施工システム。
【発明の詳細な説明】
【技術分野】
【０００１】
本発明は、建築物、移動体の室内空間内の臭気を低減する脱臭工法に係り、特に、室内空間内の臭気発生源から発生する臭気物質を室外に漏らすことなく効率的に低減する上で有効な脱臭工法及び脱臭施工システムに関する。
【背景技術】
【０００２】
従来この種の脱臭工法あるいはその脱臭施工システムとしては、例えば特許文献１〜４に記載のものがある。
特許文献１には、被脱臭物から発生する臭気を吸着する材料と、マイナスイオンを発生するマイナスイオン発生材料とを混合し、建材とし、建築物の内部に前記建材を施工し、たばこ臭、動物臭、糞尿臭のような臭気を、効率的に短時間でしかも経済的に脱臭する室内脱臭工法が開示されている。
特許文献２には、食品等を貯蔵・運搬するための倉庫・コンテナ・荷物車両等の容器内に、オゾンを発生するオゾン発生器及びこの発生オゾンを容器内に拡散させるファンと、容器内のオゾン濃度を検知するオゾン検知器と、活性炭素繊維からなるオゾン吸着面を展開・収納自在に備えたオゾン吸収装置とを設け、上記オゾン検知濃度が所定の下限値より低いときは上記オゾン発生器を運転させ、上記オゾン検知濃度が上記下限値を越えたときは上記オゾン発生器を停止させると共に、上記オゾン検知濃度が上記下限値よりも高く設定された上限値より低いときは上記オゾン吸収装置の吸着面を収納させ、上記オゾン検知濃度が上記上限値を越えたときは上記オゾン吸収装置の吸着面を展開させる制御装置を設けたオゾン脱臭システムが開示されている。
特許文献３には、脱臭ユニットとして、本体ケーシングと、活性種生成部とを備え、本体ケーシングは、気体導入口と気体排出口とを有し、内部が略直方体形状であって、内部に気体導入口から気体排出口への気流があるものであり、活性種生成部は、略直方体形状であって、臭気分子および有害ガス成分の少なくとも一つを分解または不活化する活性種を生成するものであり、活性種生成部は、本体ケーシングの内部に収納され、その長手方向が気体導入口および気体排出口が形成される面に対して、傾斜させて配置される脱臭システムが開示されている。
特許文献４には、室内に配置される換気装置と脱臭装置において、換気装置運転時は脱臭装置を停止し、換気装置停止時は脱臭装置を運転する構成とすることで、室内の脱臭を効率よく確実に行うことができる実内換気脱臭システムが開示されている。
【先行技術文献】
【特許文献】
【０００３】
【特許文献１】特許第５１４７２６２号公報（実施例）
【特許文献２】特許第３４３０５４０号公報（実施例，図１）
【特許文献３】特許第５２４５７９５号公報（発明を実施するための最良の形態，図２）
【特許文献４】特開２０１６−１５６５７６号公報（発明を実施するための形態，図３）
【発明の概要】
【発明が解決しようとする課題】
【０００４】
昨今、例えば寝たきりの病人を長期に亘り看病する場合、あるいは、孤独死などの事情で遺体が長期に亘り放置されたような場合には、室内空間に屎尿臭や死体臭といった悪臭が漂う状況に至ることは少なくない。このような状況においては、室内空間内の特定の部位に局所的な臭気発生源が存在することから、例えば特許文献１〜４に示すような従前の脱臭工法や脱臭施工システムを適宜採用したとしても、室内空間内の臭気発生源から発生する臭気物質を早期に低減することが困難なことが多く、臭気物質の脱臭作業が長期化すると、室内空間内の悪臭が室外に漏れるという懸念が生ずる。
【０００５】
本発明が解決しようとする技術的課題は、室内空間内の臭気発生源から発生する悪臭を、室外に排出せずに効率良く低減することにある。
【課題を解決するための手段】
【０００６】
本発明の第１の技術的特徴は、室内空間内の臭気発生源から発生する臭気物質を測定する測定工程と、前記測定工程で測定した臭気物質に対して脱離あるいは分解する上で有用な有用物質を前記臭気発生源に供給する有用物質供給工程と、前記臭気発生源を含む室内空間を加熱し、前記有用物質供給工程による前記有用物質の供給後に前記臭気発生源から前記臭気物質又はその分解物質を放散させるベイクアウト工程と、前記ベイクアウト工程と並行して空気清浄機を作動させ、前記ベイクアウト工程にて放散された臭気物質又はその分解物質からなる臭気成分を前記空気清浄機により形成された気流に乗せて吸引し当該空気清浄機内に設置された捕捉部材に捕捉する臭気成分捕捉工程と、を備えたことを特徴とする脱臭工法である。
【０００７】
本発明の第２の技術的特徴は、第１の技術的特徴を備えた脱臭工法において、前記臭気成分捕捉工程後に、前記臭気発生源に対して封止剤を塗布する封止剤塗布工程を更に備えることを特徴とする脱臭工法である。
本発明の第３の技術的特徴は、第１又は第２の技術的特徴を備えた脱臭工法において、前記臭気成分捕捉工程後に前記室内空間内の脱臭レベルを検査する検査工程を備え、前記検査工程による検査の結果、前記脱臭レベルが予め決められた許容レベルに至らない条件では、前記有用物質供給工程、前記ベイクアウト工程及び前記臭気成分捕捉工程の一連の工程を繰り返し、前記脱臭レベルが前記許容レベルに至った条件で前記一連の工程の繰り返しを終了することを特徴とする脱臭工法である。
【０００８】
本発明の第４の技術的特徴は、室内空間内の臭気発生源から発生する臭気物質を測定する測定手段と、前記測定手段で測定した臭気物質に対して脱離あるいは分解する上で有用な有用物質を前記臭気発生源に供給する有用物質供給手段と、前記臭気発生源を含む室内空間を加熱し、前記有用物質供給手段による前記有用物質の供給後に前記臭気発生源から前記臭気物質又はその分解物質からなる臭気成分を放散させるベイクアウト手段と、前記ベイクアウト手段による処理と並行して空気清浄機を作動させ、前記ベイクアウト手段にて放散された臭気成分を吸引するための気流を形成し、内部に設置された捕捉部材に捕捉する臭気成分補足手段と、を備えたことを特徴とする脱臭施工システムである。
本発明の第５の技術的特徴は、第４の技術的特徴を備えた脱臭施工システムにおいて、前記臭気成分捕捉手段は、前記空気清浄機の内部に前記室内空間内の臭気成分が吸引される空気流通路を形成し、当該空気流通路には前記臭気成分が捕捉可能な捕捉部材としてのフィルタを配置する共に、前記空気清浄機の内部には前記フィルタに対して前記臭気成分を捕捉する上で有効な薬液を選択的に噴霧可能な薬液噴霧機構を設けたことを特徴とする脱臭施工システムである。
【発明の効果】
【０００９】
本発明の第１の技術的特徴によれば、室内空間内の臭気発生源から発生する悪臭を、室外に排出せずに効率良く低減することができる。
本発明の第２の技術的特徴によれば、封止剤塗布工程を有しない場合に比べて、室内空間内の臭気発生源から発生する悪臭をより低減することができる。
本発明の第３の技術的特徴によれば、実内空間内の脱臭レベルを確認しながら、室内空間内の臭気発生源から発生する悪臭を効率的に低減することができる。
本発明の第４の技術的特徴によれば、室内空間内の臭気発生源から発生する悪臭を、室外に排出せずに効率良く低減することが可能な脱臭工法を具現化することができる。
本発明の第５の技術的特徴によれば、空気清浄機に性能の良い臭気成分捕捉機能を容易に組み込むことができる。
【図面の簡単な説明】
【００１０】
【図１】（ａ）は本発明が適用される脱臭施工システムの実施の形態の概要を示す説明図、（ｂ）は（ａ）に示す脱臭施工システムによる脱臭工法を示す説明図である。
【図２】（ａ）は実施の形態１に係る脱臭工法が適用される室内空間例を示す説明図、（ｂ）は（ａ）に示す室内空間内に存在する臭気物質の測定工程を示す説明図である。
【図３】実施の形態１で採用される脱臭処理過程を模式的に示すフローチャートである。
【図４】（ａ）は実施の形態１で採用される有用物質供給工程を示す説明図、（ｂ）は（ａ）で示す有用物質供給工程で用いられる有用物質供給装置の一例を示す説明図、（ｃ）は同有用物質供給装置の他の例を示す説明図である。
【図５】（ａ）は実施の形態１で採用されるベイクアウト工程及び脱臭成分捕捉工程を示す説明図、（ｂ）はベイクアウト工程で室内空間内に放散された脱臭成分の挙動を示す説明図である。
【図６】（ａ）は図５（ａ）に示す空気清浄機の構成例を示す説明図、（ｂ）は（ａ）で示す薬液供給機構の構成例を示す説明図である。
【図７】（ａ）は実施の形態１で採用される封止剤塗布工程を示す説明図、（ｂ）は封止剤塗布工程による作用を示す説明図である。
【図８】（ａ）は実施例１に係る脱臭工法を適用する対象となる測定対象室３部屋の概要を示す説明図、（ｂ）は実施例１に係る脱臭工法を適用する対象となる測定対象室内に含まれる測定対象物質と、測定対象室から採取した畳、壁紙の化学物質発生量をチャンバー試験により求めた測定物質とを比較した説明図である。
【発明を実施するための形態】
【００１１】
◎実施の形態の概要
図１（ａ）は本発明が適用された脱臭施工システムの実施の形態の概要を示し、同図（ｂ）は同脱臭施工システムによる脱臭工法を示す。
本実施の形態において、脱臭工法は、図１（ａ）（ｂ）に示すように、室内空間Ｒ内の臭気発生源Ｅから発生する臭気物質Ｗを測定する測定工程Ｓ１と、測定工程Ｓ１で測定した臭気物質Ｗに対して脱離あるいは分解する上で有用な有用物質Ｑを臭気発生源Ｅに供給する有用物質供給工程Ｓ２と、臭気発生源Ｅを含む室内空間Ｒを加熱し、有用物質供給工程Ｓ２による有用物質Ｑの供給後に臭気発生源Ｅから臭気物質Ｗ又はその分解物質を放散させるベイクアウト工程Ｓ３と、ベイクアウト工程Ｓ３と並行して空気清浄機４ａを作動させ、ベイクアウト工程Ｓ３にて放散された臭気物質Ｗ又はその分解物質からなる臭気成分を空気清浄機４ａにより形成された気流に乗せて吸引し当該空気清浄機４ａ内に設置された捕捉部材４ｂに捕捉する臭気成分捕捉工程Ｓ４と、を備えたものである。
【００１２】
このような技術的手段において、測定工程Ｓ１は、少なくとも臭気物質Ｗを特定することができればよく、更に、臭気発生源Ｅからの臭気物質Ｗの発生量を算出することが好ましく、臭気物質Ｗの発生量の大小、室内空間Ｒの容積からベイクアウト工程Ｓ３の実施時間を可変設定することも可能である。
また、有用物質供給工程Ｓ２にて供給される有用物質Ｑは、内装材やインテリア用品に付着、含浸した臭気物質Ｗに対して脱離あるいは分解する上で有用なものであれば適宜選定して差し支えない。有用物質Ｑの供給手法は、液状、粒子状の有用物質Ｑを臭気発生源Ｅ（臭気物質Ｗが飛散して付着した室内空間Ｒ内の内装材やインテリア用品も含む）に噴霧する、あるいは、塗布する等適宜選定して差し支えない。
更に、ベイクアウト工程と３は少なくとも有用物質Ｑの供給後に行えばよいが、有用物質Ｑの供給中、あるいは、供給前であっても差し支えない。
更にまた、臭気成分捕捉工程Ｓ４は、ベイクアウト工程Ｓ３と並行して実施されればよいが、ベイクアウト工程Ｓ３と臭気成分捕捉工程Ｓ４との開始が同時でない態様も含む。
【００１３】
次に、本実施の形態に係る脱臭工法の好ましい態様について説明する。
先ず、脱臭工法の一つの好ましい態様としては、臭気成分捕捉工程Ｓ４後に、臭気発生源Ｅに対して封止剤Ｍを塗布する封止剤塗布工程Ｓ５を更に備える態様が挙げられる。本例は、臭気発生源Ｅから発生する臭気成分を臭気成分捕捉工程Ｓ４で許容レベルまで捕捉した場合であっても、仮に、臭気発生源Ｅに臭気物質Ｗの一部が残存し、室内空間Ｒに放散される懸念を有効に防止する態様である。
また、別の好ましい態様としては、臭気成分捕捉工程Ｓ４後に室内空間Ｒ内の脱臭レベルを検査する検査工程Ｓ６を備え、検査工程Ｓ６による検査の結果、脱臭レベルが予め決められた許容レベルに至らない条件では、有用物質供給工程Ｓ２、ベイクアウト工程Ｓ３及び臭気成分捕捉工程Ｓ４の一連の工程を繰り返し、脱臭レベルが許容レベルに至った条件で一連の工程の繰り返しを終了する態様が挙げられる。本例は、検査工程Ｓ６にて室内空間Ｒ内の脱臭レベルを検査し、脱臭レベルが許容レベルに達するまで、一連の脱臭処理工程（有用物質供給工程Ｓ２、ベイクアウト工程Ｓ３、臭気成分捕捉工程Ｓ４）を繰り返す態様である。
【００１４】
また、脱臭工法を具現化した脱臭施工システムとしては、図１（ａ）に示すように、室内空間Ｒ内の臭気発生源Ｅから発生する臭気物質Ｗを測定する測定手段１と、測定手段１で測定した臭気物質Ｗに対して脱離あるいは分解する上で有用な有用物質Ｑを臭気発生源Ｅに供給する有用物質供給手段２と、臭気発生源Ｅを含む室内空間Ｒを加熱し、有用物質供給手段２による有用物質Ｑの供給後に臭気発生源Ｅから臭気物質Ｗ又はその分解物質からなる臭気成分を放散させるベイクアウト手段３と、ベイクアウト手段３による処理と並行して空気清浄機４ａを作動させ、ベイクアウト手段３にて放散された臭気成分を吸引するための気流を形成し、内部に設置された捕捉部材４ｂに捕捉する臭気成分補足手段４と、を備えた態様が挙げられる。
【００１５】
本例においては、脱臭施工システムの好ましい態様としては、図１（ａ）に示すように、封止剤塗布工程Ｓ５（図１（ｂ）参照）を実施するための封止剤塗布手段５を付加したり、あるいは、検査工程Ｓ６（図１（ｂ）参照）を実施するための検査手段６を設ける態様が挙げられる。
また、臭気成分捕捉手段４の好ましい態様としては、空気清浄機４ａの内部に室内空間Ｒ内の臭気成分が吸引される空気流通路を形成し、当該空気流通路には臭気成分が捕捉可能な捕捉部材４ｂとしてのフィルタを配置する共に、空気清浄機４ａの内部にはフィルタに対して臭気成分を捕捉する上で有効な薬液を選択的に噴霧可能な薬液噴霧機構を設けた態様が挙げられる。
【００１６】
◎実施の形態１
図２（ａ）は実施の形態１に係る脱臭工法が適用される室内空間例を示す。
同図において、室内空間Ｒは一般に床、天井、側壁等の内装材２０で区画されており、この室内空間Ｒ内の例えば床上の特定部位に病人が長期に亘り寝たきり状態であったり、あるいは、孤独死などの事情で遺体が長期に亘り放置された場合、室内空間Ｒのうち、病人や遺体等の人体Ｈが置かれていた特定部位が臭気発生源Ｅとなり、室内空間Ｒ内に臭気発生源Ｅから屎尿臭や死体臭といった悪臭が漂う状況に至ることがある。尚、臭気発生源Ｅから発生する臭気物質Ｗは放散して天井や側壁等の内装材２０や、室内空間Ｒ内のインテリア用品（図示せず）に付着、含浸することから、内装材２０やインテリア用品も後発的に臭気発生源になり得るものと想定される。
本実施の形態で採用される脱臭工法は、このような室内空間Ｒ内に漂う悪臭の室内濃度を早期に低減する上で有効な手法である。
【００１７】
−測定工程−
本実施の形態では、図２（ｂ）に示すように、先ず、室内空間Ｒ内の空気を採取し、例えば図示外の精密化学分析装置にて採取空気の精密化学分析を実施し、室内空間Ｒの空気に含まれる臭気物質Ｗを特定する。尚、精密化学分析装置としては、ガスクロマトグラフ、ガスクロマトグラフ質量分析器、高速液クロマトグラフ、イオンクロマトグラフ等の公知の分析手法のものが採用される。
更に、本例では、臭気発生源Ｅ付近の空気を採取し、採取空気の定量分析を実施することで臭気物質Ｗの発生量を算出する。ここで、臭気物質Ｗの発生量の算出値は室内空間Ｒ内の臭気物質Ｗの濃度に依存することから、脱臭効率を考慮することで、大凡の脱臭処理時間を割り出すことが可能である。
【００１８】
−有用物質供給工程−
前述した測定工程を経て、室内空間Ｒ内の臭気物質Ｗが特定されると、内装材２０等に付着、含浸した臭気物質Ｗに対して脱離あるいは分解する上で有用な有用物質Ｑを供給する有用物質供給工程が実施される（図３，図４（ａ）参照）。
ここで、有用物質Ｑとしては、臭気物質Ｗに対して消臭作用を奏するものが好ましく、「脱離する上で有用」とは、臭気物質Ｗに吸着して内装材２０の表面や内部に付着、含浸した臭気物質Ｗを内装材２０から脱離し易くするものを指し、また、「分解する上で有用」とは臭気物質Ｗと反応して無害な物質（例えば無臭の物質）に分解し易くするものを指す。
例えば屎尿臭、死体臭に対して有用な有用物質としては、クエン酸水、二酸化塩素水、オゾン水、過酸化水素水等が挙げられる。
【００１９】
本例において、有用物質供給工程を実施する場合には、図４（ａ）に示すように、室内空間Ｒ内に有用物質供給装置３０を設置し、もともとの臭気発生源Ｅや臭気物質Ｗが付着、含浸した後発的な臭気発生源である内装材２０の表面に対し有用物質Ｑを供給するようにすればよい。
そして、有用物質供給装置３０は、図４（ａ）（ｂ）に示すように、装置筐体３１内に有用物質Ｑを含む薬液が収容される薬液ボトル３２を設置し、この薬液ボトル３２の薬液内には吸い上げチューブ３３の基端を浸漬させ、ポンプユニット３４にて吸い上げチューブ３３に一定量吸い上げ、吸い上げチューブ３３の先端に接続されたノズル３５から定量的に噴霧するようにしたものである。
また、本例では、吸い上げチューブ３３は可撓性を有するものであって、ノズル６５の吹き出し位置は変更可能であるため、有用物質供給装置３０のユーザーが噴霧対象位置に対向してノズル３５を配置した状態で、ノズル３５からの噴霧動作を行うようにすることが可能である。
更に、有用物質供給装置３０を持ち運び可能にすれば吸い上げチューブ３３の長さは一律に設定されていてもよいが、有用物質供給装置３０を固定的に設置する場合には、吸い上げチューブ３３にチューブ長可変機構３６を付加し、吸い上げチューブ３３を長さ調整可能として適宜引き出し、室内空間Ｒ内全域に有用物質Ｑを供給できるようにしてもよい。
【００２０】
また、有用物質供給装置３０としては、図４（ａ）（ｂ）に示す態様に限られるものではなく、例えば図４（ｃ）に示すように、臭気発生源Ｅや内装材２０の表面に塗布用具３７（把手３８に刷毛３９を設けた態様）にて有用物質Ｑを塗布する態様も挙げられる。この塗布用具３７による有用物質Ｑの塗布作業は、例えば噴霧式の有用物質供給装置３０による処理を実施した後に有用物質Ｑの供給が不足している箇所を作業者が目視確認しながら補足的に行うようにすることが好ましいが、噴霧式の有用物質供給装置３０による処理、あるいは、塗布用具３７による塗布作業とを単独で個別に行うようにしてもよいことは勿論である。
【００２１】
−ベイクアウト工程−
本実施の形態では、有用物質供給工程が終了すると、図３及び図５（ａ）に示すように、室内空間Ｒ内に加熱用のエアコンディショナ（以下エアコンと略記）４０及び空気清浄機５０を設置し、エアコン４０及び空気清浄機５０の運転を開始する。
特に、本例では、室内空間Ｒの天井や側壁には必要に応じてファン８１，８２が設置され、空気清浄機５０から吹き出した空気が室内空間Ｒ内を循環して再び空気清浄機５０に吸引される気流Ａｆが形成されるようになっている。
更に、本例では、エアコン４０、空気清浄機５０及びファン８１，８２はいずれも駆動用のコントローラ１００に接続されており、コントローラ１００によって駆動制御されている。
更にまた、本例では、コントローラ１００には、室内空間Ｒ内の温度を検出する温度センサ９１及び室内空間Ｒ内の臭気物質Ｗの濃度を検出する濃度センサ９２が接続されており、例えば温度センサ９１による検出温度がベイクアウトの処理温度を超えた条件でエアコン４０をオンオフ制御し、また、濃度センサ９２による検出濃度が許容濃度以下に至った条件でエアコン４０，空気清浄機５０及びファン８１，８２の駆動を停止するようになっている。
【００２２】
本例において、コントローラ１００は、エアコン４０、空気清浄機５０と並行してファン８１，８２の運転をも開始し、これにより、室内空間Ｒ内の空気全体が予め決められたベイクアウト処理温度（例えば３５℃〜４０℃）に加熱されると共に、加熱された空気が所定の経路を循環する気流Ａｆとなって流れる。
この状態において、室内空間Ｒの内装材２０等に付着、含浸している臭気物質Ｗは、図５（ｂ）に示すように、ベイクアウト処理にて加熱されることで内装材２０等から放散し易くなり、有用物質Ｑと吸着して内装材２０等から脱離し、また、有用物質Ｑと反応して分解物質Ｗ’に分解されて脱離する。この結果、内装材２０等に付着、含浸していた臭気物質Ｗや分解物質Ｗ’は放散し、気流Ａｆに乗って空気清浄機５０内へと移動していく。
尚、本例では、所望の気流Ａｆを形成するように、ファン８１，８２を使用する態様を示したが、これに限られるものはなく、ファン８１又は８２のいずれか、あるいは、いずれも用いないようにしてもよい。
【００２３】
−臭気成分捕捉工程−
本例では、臭気成分捕捉工程は、空気清浄機５０内で実施される。
＜空気清浄機の構成例＞
本実施の形態では、空気清浄機５０は、図６（ａ）に示すように、略ボックス状の清浄筐体５１を有し、清浄筐体３１の一部に循環する気流Ａｆが取り込まれる取込口５２を開設すると共に、清浄筐体５１の取込口５２から離れた部位に清浄空気が放出される放出口５３を開設し、清浄筐体５１内には取込口５２から放出口５３に連通する空気流通路５４を形成したものである。
そして、清浄筐体５１の空気流通路５４内には複数のフィルタ基材（本例では室内空間Ｒに存在する各種汚染物質を除去処理するためのフィルタ基材を含む）からなる清浄フィルタ６０が着脱可能に配設されており、空気流通路５４のうち清浄フィルタ６０よりも取込口５２側にはファン５５が配設され、空気流通路５４内で取込口５２から放出口５３に向かう気流が形成されるようになっている。尚、空気流通路５４の途中に冷房や暖房のための熱交換ユニット（図示せず）を搭載してもよいことは勿論である。
【００２４】
＜清浄フィルタ＞
本例において、清浄フィルタ６０は、図６（ａ）に示すように、空気流通路５４の取込口５２から順に、プレフィルタ６１、微生物除去フィルタ６２、中性能フィルタ６３、ガス除去フィルタ６４、ＨＥＰＡフィルタ（High Efficiency Particulate Air Filter）６５を配設したものである。
本例では、各フィルタ６１〜６５は空気流通路５４に対していずれも着脱自在に装着されている。
（１）プレフィルタ６１
これは、目の粗いメッシュ状のフィルタで、主として粗い粉塵などを捕獲するものであり、例えば金属メッシュや、金属繊維、炭素繊維などを用いて不織布状に成型したものである。
（２）微生物除去フィルタ６２
これは、主として細菌、真菌、ウィルスなどの微生物粒子を捕獲するものであるが、微生物粒子と同様な花粉やダニ及びその糞などのアレルゲン粒子をも捕捉し得るものである。
（３）中性能フィルタ６３
これは、プレフィルタ６１よりも目の細かいメッシュ状のフィルタで、主として中程度の大きさの粉塵などを捕捉するものであり、例えば金属メッシュや、金属繊維、炭素繊維などを用いて不織布状に成型したものである。
（４）ガス除去フィルタ６４
これは、臭気物質、化学物質のガス状汚染物質を除去するフィルタであり、臭気物質を吸着する活性炭、ゼオライト、セラミックスなどの吸着材を利用した構成が採用される。
（５）ＨＥＰＡフィルタ６５
これは、中性能フィルタ６３よりも更に目の細かいメッシュ状のフィルタで、例えばガス除去フィルタ６４で用いられる活性炭の微小粉体などを捕捉するものであり、例えば金属メッシュや、金属繊維、炭素繊維などを用いて不織布状に成型したものである。
【００２５】
＜薬液供給機構＞
本例では、清浄フィルタ６０は、例えばガス除去フィルタ６４に対して除去対象となる臭気物質、化学物質（例えばＶＯＣ：Volatile Organic Compoundsの略）などのガス状汚染物質に対応する有用物質Ｑとしての薬液（消臭剤などを含む）が供給可能な薬液供給機構７０を備えている。
この薬液供給機構７０は、図６（ａ）（ｂ）に示すように、臭気物質、化学物質の除去に対応する薬液としての消臭剤（例えばアンモニアに対応する薬液Ｓａ、メチルメルカプタンに対応する薬液Ｓｂ、あるいは、これらを含む複数の臭気物質、化学物質に対応する混合薬液Ｓｃなど）を有している。
【００２６】
本例において、薬液供給機構７０は、図６（ｂ）に示すように、ハウジング７１内に各種薬液Ｓａ〜Ｓｃが収容されている薬液ボトル７２（具体的には７２ａ〜７２ｃ）から予め選定されたもの（本例では例えば薬液ボトル７２ａ）を設置し、この薬液ボトル７２ａの薬液Ｓａ内には吸い上げチューブ７３の基端を浸漬させ、ポンプユニット７４にて吸い上げチューブ７３に一定量吸い上げ、吸い上げチューブ３７の先端に接続されたノズル７５からガス除去フィルタ６４に定量的に噴霧するようにしたものである。
【００２７】
＜清浄フィルタの作用＞
本実施の形態の清浄フィルタ６０では、空気中の汚染物質として、粉塵、花粉、真菌、細菌、ウィルス、化学物質、臭気物質が存在する場合を想定すると、粉塵は主としてプレフィルタ６１、中性能フィルタ６３、ＨＥＰＡフィルタ６５にて捕捉され、真菌、細菌、ウィルスは主として微生物除去フィルタ６２にて捕捉され、更に、化学物質、臭気物質は主としてガス除去フィルタ６４にて捕捉される。尚、花粉は微生物除去フィルタ６２や中性能フィルタ６３にて捕捉される。
このとき、本実施の形態では、ガス除去フィルタ４４には対応する薬液Ｓａが定期的に噴霧されることから、臭気物質、化学物質の除去性能が定期的に回復する。
尚、本実施の形態では、ガス除去フィルタ４４に薬液Ｓｓを噴霧するようにしているが、これに限られるものではなく、微生物除去フィルム６２についても、インフルエンザウィルスなどの微生物の除去に対応する薬液（例えば微生物の殺菌に対応する殺菌剤、微生物の増殖防止に対応する抗菌剤など）を供給可能な薬液供給機構を備えるようにしてもよいことは勿論である。また、必要に応じて中性能フィルタ６３等の粉塵除去フィルタにも適切な薬液を噴霧するようにしてもよい。
【００２８】
＜臭気成分捕捉処理＞
本実施の形態では、例えばアンモニアが主たる汚染物質の室内空間であるため、ガス除去フィルタ６４にアンモニアに適した薬液Ｓａを噴霧するようになっていることから、空気清浄機５０の取込口５２から空気流通路５４に取り込まれた気流Ａｆに乗って移動してきた臭気成分（例えば臭気物質Ｗであるアンモニアやその分解物質）は清浄フィルタ６０のガス除去フィルタ４４にて捕捉される。
このため、室内空間Ｒ内に放散した臭気物質Ｗの量は次第に低減していき、これに伴って、臭気物質Ｗの濃度は低減していく。
尚、たばこ臭、焼き肉臭、ペット臭などの臭気物質の多い空間では、これらの臭気物質に対応した薬液を供給するようにしてもよい。更に、汚染物質が、ホルムアルデヒド、メチルメルカプタン、硫化水素など複数になるような場合には、それぞれの汚染物質に対応する薬液をそれぞれの薬液ボトルから、あるいは、混合して噴霧するようにすればよい。
【００２９】
＜検査処理＞
このとき、例えばエアコン４０及び空気清浄機５０の運転時間が予め決められた時間に達すると、図３に示すように、コントローラ１００は濃度センサ９２からの検出濃度を見て室内空間Ｒ内の脱臭レベルが許容レベル（ＯＫレベル）に到達したか否かの検査処理を実施する。
このとき、脱臭レベルが予め決められた閾値以下の許容レベルに達していない条件では、図３に示すように、有用物質供給処理、ベイクアウト処理及び臭気成分捕捉処理からなる一連の脱臭処理を繰り返す。
本例では、有用物質供給処理を再実施するときにも、エアコン４０及び空気清浄機５０の運転を停止しないため、ベイクアウト処理及び臭気成分捕捉処理は継続して実施されるが、ベイクアウト処理を継続したとしても、内装材２０の含水率を低下させることで有用物質の吸収率を向上させることから有用物質供給処理も効率的に行われる点で好ましい。
一方、上述した検査処理による検査結果として、脱臭レベルが許容レベルに到達すると、コントローラ１００はエアコン４０及び空気清浄機５０の運転を停止する。
【００３０】
＜清浄フィルタによる他の機能＞
また、本実施の形態では、空気清浄機５０の設置空間の汚染状態に応じたフィルタ構成とすることができる。つまり、本実施の形態では、空気清浄機５０の設置空間の汚染物質の種類や物理、化学的特性により、薬液を選定することが可能である。
このため、室内空間Ｒ内に臭気物質以外の汚染物質が混在したとしても、臭気物質Ｗ以外の汚染物質を除去することができる。
例えば、真菌（カビ）や細菌が主たる汚染物質の空間では、その菌種に有効な殺菌剤、抗菌剤、制菌剤を微生物除去フィルタ６２や中性能フィルタ６３等の粉塵除去フィルタ等に噴霧するようにすればよい。また、花粉などのアレルゲン粒子が多い空間では、アレルゲン粒子を不活化する薬液を例えば微生物除去フィルタ６２に供給するようにすればよい。また、本実施の形態では、微生物除去フィルタ６２には殺菌剤、抗菌剤、制菌剤などの薬液が噴霧、含浸されるため、これらによって変質しないことが好ましく、また、これらの薬液がファン５５の気流によって揮発し難いことが好ましい。仮に、薬液が揮発、運搬されたとしても、空気流通路５４の下流側にガス除去フィルタ６４が設置されているため、薬液が室内空間Ｒに不必要に拡散するという事態は有効に回避される。
【００３１】
−封止剤塗布工程−
室内空間Ｒの脱臭レベルが許容レベルに達すると、後処理として、もともとの臭気発生源Ｅを中心に内装材２０の表面に封止剤塗布工程が実施される。
本例において、封止剤塗布工程は、図７（ａ）に示すように、臭気発生源Ｅなど臭気物質Ｗが一部残存している可能性がある内装材２０の表面に、塗布用具１１０（把手１１１に刷毛１１２を設けた態様）にて封止剤Ｍを塗布し、内装材２０に残存している可能性がある臭気物質Ｗを封止するようにしたものである。
本例によれば、図７（ｂ）に示すように、図３に示す一連の脱臭処理（有用物質供給処理、ベイクアウト処理、臭気成分捕捉処理）を実施することで、室内空間Ｒ内の臭気物質の多くは放散し、空気清浄機５０の清浄フィルタ６０のガス除去フィルタ６４に捕捉され、脱臭レベルを許容レベルに到達させることが可能である。
しかしながら、本例では、もともとの臭気発生源Ｅである内装材２０に脱臭物質Ｗが一部残存したとしても、当該脱臭物質Ｗは塗布された封止剤Ｍで封止されることから、臭気レベルは略０に抑えられる点で好ましい。
【実施例】
【００３２】
◎実施例１
本実施例は、実施の形態１を具現化したもので、人体由来の臭気物質による室内空気の汚染現象を取り上げ、特に住宅における臭気物質汚染の実態を明らかにし、その汚染対策について本実施例に係る脱臭工法を評価したものである。
本実施例では、図８（ａ）に示すように、孤独死などの事情で遺体が放置され、室内で悪臭が知覚される集合住宅（３室）を測定対象とし、臭気物質の同定と濃度レベルを求めた。
ここで、同室内での使用建材を適宜採取し、ＪＩＳ規格小型チャンバー試験法により、建材毎の発生量を求めた。測定対象物質はＶＯＣ（４８物質）、アルデヒド類（１５物質）、アンモニア、酢酸、ギ酸、プロピオン酸、酪酸、イソ吉草酸、トリメチルアミン、硫黄化合物（メチルメルカプタン、硫化水素、硫化メチル、二硫化メチル）の７４物質とした。
【００３３】
結果を図８（ｂ）に示す。
同図によれば、以下のような結果が得られた。
（１）検出された臭気物質には、アルデヒド類や脂肪酸に属するものがあった。
（２）測定対象室から採取した畳、壁紙の化学物質発生量をチャンバー試験により求めたところ、畳からは室内空気汚染物質と同一の臭気物質が検出され、遺体から放散される臭気物質を同定する際の化学的資料が得られた。
（３）臭気発生源（畳）から壁紙（ビニールクロス）への吸着量は小さかった。
（４）これらの測定対象室に近似する条件の室内空間に対し、本実施例に係る脱臭工法を実施したところ、以下のような事実が判明した。
先ず、臭気発生源に有用物質を供給し、かつ、エアコン（加熱装置として使用）及び空気清浄機を用いたベイクアウト処理を実施したところ、臭気発生源からの臭気物質の発生量の増大が確認され、また、ベイクアウト処理と共に空気清浄機による空気清浄処理（主として臭気成分捕捉処理）を実施したところ、臭気発生源からの臭気物質の発生量を低減する上で極めて有効であることが確認された。更に、室内空間内の脱臭処理を行うに当たり、室外に悪臭が排出される懸念はほとんどなかったことが確認された。
更にまた、一連の脱臭処理を実施した後の臭気発生源に対し封止剤を塗布するようにすれば、封止剤を塗布しない場合に比べて、臭気発生源からの臭気物質の放散はより確実に抑制されることも確認された。
このように、本実施例では、住宅における事故物件（例えば孤独死などの事情で遺体が放置され、室内で悪臭が知覚される物件など）の臭気汚染問題を短期間で解消することに極めて有効であることが把握される。
【符号の説明】
【００３４】
１…測定手段，２…有用物質供給手段，３…ベイクアウト手段，４…臭気成分捕捉手段，４ａ…空気清浄機，４ｂ…捕捉部材，５…封止剤塗布手段，６…検査手段，Ｓ１…測定工程，Ｓ２…有用物質供給工程，Ｓ３…ベイクアウト工程，Ｓ４…臭気成分捕捉工程，Ｓ５…封止剤塗布工程，Ｓ６…検査工程，Ｅ…臭気発生源，Ｍ…封止剤，Ｑ…有用物質，Ｒ…室内空間，Ｗ…臭気物質
【図１】
2020110436.tif 000003
【図２】
2020110436.tif 000004
【図３】
2020110436.tif 000005
【図４】
2020110436.tif 000006
【図５】
2020110436.tif 000007
【図６】
2020110436.tif 000008
【図７】
2020110436.tif 000009
【図８】
2020110436.tif 000010